(57)【特許請求の範囲】
【請求項１】
発信元の通信端末装置からのファクシミリの画像データを、第１の通信網、上記画像データをパケットデータに変換する第１のゲートウェイ装置、第２の通信網、上記パケットデータを画像データに逆変換する第２のゲートウェイ装置、及び第３の通信網を介して、相手先の通信端末装置に送信するリアルタイム型インターネットファクシミリ通信システムのための第２のゲートウェイ装置であるファクシミリゲートウェイ装置において、
上記第２の通信網からファクシミリの画像データを受信して記憶装置に格納した後、上記第３の通信網を介して相手先の通信端末装置に送信するときに、上記記憶装置に所定量の画像データを格納していないとき、トレーニングのためのテストデータにエラーデータを格納して送出する通信制御手段を備えたことを特徴とするファクシミリゲートウェイ装置。
【請求項２】
上記通信制御手段は、上記第２の通信網からファクシミリの画像データを受信して記憶装置に格納した後、上記第３の通信網を介して相手先の通信端末装置に送信するときに、上記記憶装置に所定量の画像データを格納していないとき、オール”１”のデータが挿入されたＴＣＦ信号を送出することを特徴とする請求項１記載のファクシミリゲートウェイ装置。
【請求項３】
上記通信制御手段は、上記第２の通信網からファクシミリの画像データを受信して記憶装置に格納した後、すべてのページの画像データを受信して送信していないときに、上記記憶装置に所定量の画像データを格納していないとき、再び、上記第２の通信網からファクシミリの画像データを受信して記憶装置に格納することを特徴とする請求項１又は２記載のファクシミリゲートウェイ装置。
【請求項４】
上記通信制御手段は、トレーニングのためのテストデータにエラーデータを格納して送出したときに、相手先の通信端末装置からＦＴＴ信号を受信したとき、モデム速度をフォールバックさせないように制御することを特徴とする請求項１乃至３のうちのいずれか１つに記載のファクシミリゲートウェイ装置。
【発明の詳細な説明】
【０００１】
【発明の属する技術分野】
本発明は、ファクシミリ装置などの発信元の通信端末装置からのファクシミリの画像データを、公衆電話網などの第１の通信網、上記画像データをパケットデータに変換する第１のゲートウェイ装置、インターネットなどの第２の通信網、上記パケットデータを画像データに逆変換する第２のゲートウェイ装置、及び公衆電話網などの第３の通信網を介して、ファクシミリ装置などの相手先の通信端末装置に送信するリアルタイム型インターネットファクシミリ通信システムのための第２のゲートウェイ装置であるファクシミリゲートウェイ装置に関する。
【０００２】
【従来の技術】
従来、発信元のファクシミリ装置からのファクシミリの画像データを、公衆電話網、上記画像データをパケットデータに変換する第１のゲートウェイ装置、インターネット、上記パケットデータを画像データに逆変換する第２のゲートウェイ装置、及び公衆電話網を介して、相手先のファクシミリ装置に、ＩＴＵ−Ｔ勧告Ｔ．３０のファクシミリの通信手順と同様の通信手順で送信するリアルタイム型インターネットファクシミリ通信システム（以下、従来例という。）が実用化されており、ＩＴＵ−Ｔ勧告Ｔ．３８において記載されている。
【０００３】
この従来例では、発信元の通常のファクシミリ装置が、ＩＴＵ−Ｔ勧告Ｔ．３０のファクシミリの通信手順でファクシミリの画像データを公衆電話網を介して第１のゲートウェイ装置に送信する。次いで、第１のゲートウェイ装置は、受信したファクシミリの画像データを所定のパケットデータに変換してインターネットを介して第２のゲートウェイ装置に送信する。そして、第２のゲートウェイ装置は、受信したパケットデータをファクシミリの画像データに逆変換して公衆電話網を介して相手先のファクシミリ装置に送信する。ここで、発信元のファクシミリ装置と、相手先のファクシミリ装置との間の通信手順の信号は、ＩＴＵ−Ｔ勧告Ｔ．３０のファクシミリの通信手順信号と同様の通信手順信号を用いる。ただし、２つのゲートウェイ装置間での通信手順信号はパケットデータを用いてファクシミリ通信がなされる。
【０００４】
以上のように構成されたリアルタイム型インターネットファクシミリ通信システムにおいては、公衆電話網の区間の全体的な距離を短縮できるために、ファクシミリの画像データを送信するときの通信料金を低減できるという利点がある。
【０００５】
【発明が解決しようとする課題】
しかしながら、この従来例のリアルタイム型インターネットファクシミリ通信システムにおいては、インターネットを介してファクシミリの画像データを受信してリアルタイムで公衆電話網を介して相手方のファクシミリ装置に送信する第２のゲートウェイ装置において、インターネットの伝送遅延から、公衆電話網を介した相手方のファクシミリ装置への送信が間に合わない場合がしばしば発生するという問題点があった。
【０００６】
この問題点を解決するために、第２のゲートウェイ装置において、画像データを送受信するときにフロー制御を行っていたが、フロー制御のためのプログラムが複雑であり、それが製造コストの増大につながるという問題点があった。
【０００７】
本発明の目的は以上の問題点を解決し、リアルタイム型インターネットファクシミリ通信システムのための第２のゲートウェイ装置において、通信手順を変更することなく、従来技術に比較して簡単に、インターネットによる伝送遅延によるファクシミリ通信の切断を回避できるファクシミリゲートウェイ装置を提供することにある。
【０００８】
【課題を解決するための手段】
本発明に係るファクシミリゲートウェイ装置は、発信元の通信端末装置からのファクシミリの画像データを、第１の通信網、上記画像データをパケットデータに変換する第１のゲートウェイ装置、第２の通信網、上記パケットデータを画像データに逆変換する第２のゲートウェイ装置、及び第３の通信網を介して、相手先の通信端末装置に送信するリアルタイム型インターネットファクシミリ通信システムのための第２のゲートウェイ装置であるファクシミリゲートウェイ装置において、
上記第２の通信網からファクシミリの画像データを受信して記憶装置に格納した後、上記第３の通信網を介して相手先の通信端末装置に送信するときに、上記記憶装置に所定量の画像データを格納していないとき、トレーニングのためのテストデータにエラーデータを格納して送出する通信制御手段を備えたことを特徴とする。
【０００９】
上記ファクシミリゲートウェイ装置において、上記通信制御手段は、好ましくは、上記第２の通信網からファクシミリの画像データを受信して記憶装置に格納した後、上記第３の通信網を介して相手先の通信端末装置に送信するときに、上記記憶装置に所定量の画像データを格納していないとき、オール”１”のデータが挿入されたＴＣＦ信号を送出することを特徴とする。
【００１０】
また、上記ファクシミリゲートウェイ装置において、上記通信制御手段は、好ましくは、上記第２の通信網からファクシミリの画像データを受信して記憶装置に格納した後、すべてのページの画像データを受信して送信していないときに、上記記憶装置に所定量の画像データを格納していないとき、再び、上記第２の通信網からファクシミリの画像データを受信して記憶装置に格納することを特徴とする。
【００１１】
さらに、上記ファクシミリゲートウェイ装置において、上記通信制御手段は、好ましくは、トレーニングのためのテストデータにエラーデータを格納して送出したときに、相手先の通信端末装置からＦＴＴ信号を受信したとき、モデム速度をフォールバックさせないように制御することを特徴とする。
【００１２】
【発明の実施の形態】
以下、図面を参照して本発明に係る実施形態について説明する。
【００１３】
図１は、本発明に係る実施形態である、リアルタイム型インターネットファクシミリ通信システムの構成を示すブロック図である。本実施形態のリアルタイム型インターネットファクシミリ通信システムは、ＩＴＵ−Ｔ勧告Ｔ．３８において記載された従来例の通信システムをベースとするものであり、図１に示すように、発信元のファクシミリ装置２０Ａとゲートウェイ装置６０Ａとの間が公衆電話網５０Ａを介して接続され、２つのゲートウェイ装置６０Ａ，６０Ｂの間がインターネット４０を介して接続され、ゲートウェイ装置６０Ｂと相手先のファクシミリ装置２０Ｂとの間が公衆電話網５０Ｂを介して接続されている。ここで、公衆電話網５０Ａ，５０Ｂは同一の公衆電話網であってもよいし、異なる公衆電話網であってもよい。ファクシミリ装置２０Ａ，２０Ｂは従来技術の公衆電話網を介してファクシミリ通信を行う公知のファクシミリ装置であり総称して符号２０を付す。また、ゲートウェイ装置６０Ａ，６０Ｂは、異なる場所に設けられるが、好ましくは同一の装置で構成され、総称して符号６０を付す。
【００１４】
ここで、発信元のファクシミリ装置２０Ａは、ＩＴＵ−Ｔ勧告Ｔ．３０のファクシミリの通信手順でファクシミリの画像データを含むファクシミリメッセージを公衆電話網５０Ａを介してゲートウェイ装置６０Ａに送信する。次いで、ゲートウェイ装置６０Ａは、受信したファクシミリの画像データを含むファクシミリメッセージを所定のパケットデータに変換してインターネット４０を介してゲートウェイ装置６０Ｂに送信する。そして、ゲートウェイ装置６０Ｂは、受信したパケットデータをファクシミリの画像データを含むファクシミリメッセージに逆変換して公衆電話網５０Ｂを介して相手先のファクシミリ装置２０Ｂに送信する。ここで、発信元のファクシミリ装置２０Ａと、相手先のファクシミリ装置２０Ｂとの間の通信手順の信号は、ＩＴＵ−Ｔ勧告Ｔ．３０のファクシミリの通信手順信号と同様の通信手順信号を用いる。ただし、２つのゲートウェイ装置６０Ａ，６０Ｂ間での通信手順信号はパケットデータを用いてファクシミリ通信がなされる。また、本明細書において、ファクシミリメッセージとは、ファクシミリ通信の手順信号及び画像データを伝送するメッセージ信号をいう。
【００１５】
本実施形態に係るゲートウェイ装置６０Ｂの主制御部１０１は、インターネット４０からファクシミリの画像データを受信してハードディスクドライブ１０８の画像データメモリ領域１０８ａに格納した後（図４のステップＳ２）、公衆電話網５０Ｂを介して相手先のファクシミリ装置２０Ｂに送信するときに、当該画像データメモリ領域１０８ａに例えば１ページ分の画像データを格納していないとき（ステップＳ３でＮＯ）、トレーニングのためのテストデータであるＴＣＦ信号（ファクシミリ通信の通信手順信号である。）に例えばオール”１”のエラーデータを格納して送出する（ステップＳ５）ことを特徴としている。
【００１６】
また、ゲートウェイ装置６０Ｂの主制御部１０１は、インターネット４０からファクシミリの画像データを受信してハードディスクドライブ１０８の画像データメモリ領域１０８ａに格納した後（図１５のステップＳ１２）、すべてのページの画像データを受信して送信していないときに（ステップＳ１５でＮＯ）、当該画像データメモリ領域１０８ａ例えば１ページ分の画像データを格納していないとき（ステップＳ１６でＮＯ）、再び、インターネット４０からファクシミリの画像データを受信して画像データメモリ領域１０８ａに格納することを特徴としている。
【００１７】
さらに、ゲートウェイ装置６０Ｂの主制御部１０１は、オール”１”のエラーデータを含むＴＣＦ信号を送出したときに（ステップＳ５で実行し、ステップＳ８でＹＥＳ）、相手先のファクシミリ装置２０ＢからＦＴＴ信号を受信したとき（ステップＳ６でＹＥＳ）、モデム速度をフォールバックさせないように制御する（ステップＳ９）ことを特徴としている。
【００１８】
図２は、図１のファクシミリ装置２０（２０Ａ，２０Ｂ）の構成を示すブロック図である。図２において、ファクシミリ装置２０は、従来のＧ３方式等のファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１９】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２０】
ＲＯＭ６は、当該ファクシミリ装置２０の動作に必要であって主制御部１によって実行される種々のソフトウェアのプログラムを予め格納する。また、これらのプログラムは、例えば、フロッピーディスク、ＭＯ、ＤＶＤ−ＲＡＭなどの記録媒体に記録して、必要に応じてそのドライブ装置を介してＲＡＭ７にロードして当該プログラムを実行してもよい。ＲＡＭ７は、ＳＲＡＭで構成され、主制御部１のワーキングエリアとして使用されてプログラムの実行時に発生する一時的なデータを記憶する。コンパクトフラッシュ８は、符号化前後、又は復号化前後の画像データを格納するための画像データメモリ領域８ａを有する。
【００２１】
ファックスモデム１０は、公衆電話回線Ｌを介して公衆電話網５０に接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２２】
以上のように構成された本実施形態のファクシミリ装置２０のファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、ゲートウェイ装置６０Ａ，６０Ｂ又は相手先のファクシミリ装置に送信される一方、逆に相手先のファクシミリ装置又はゲートウェイ装置６０Ａ，６０Ｂから受信した符号化データもソフトウェアによりイメージデータに復号化されて画像記録部３からハードコピーとして出力される。
【００２３】
図３は、図１のゲートウェイ装置６０（６０Ａ，６０Ｂ）の構成を示すブロック図である。
【００２４】
図３において、ゲートウェイ装置６０は、例えばパーソナルコンピュータやワークステーションなどのディジタル計算機で構成され、主制御部１０１は、図１の発信元のファクシミリ装置２０Ａから、公衆電話網５０及び公衆電話回線Ｌ２を介して、ファクシミリの画像データを受信し、受信したファクシミリの画像データを画像データのパケットデータに変換した後、ルータ装置１０９及びインターネット４０を介して、ゲートウェイ装置６０Ｂに送信する。一方、主制御部１０１は、図１のゲートウェイ装置６０Ａから、インターネット４０及びルータ装置１０９を介して、画像データのパケットデータを受信し、受信した画像データのパケットデータを通常のファクシミリ通信用の画像データに逆変換した後、公衆電話回線Ｌ２及び公衆電話網５０Ｂを介して、相手先のファクシミリ装置２０Ｂに送信し、このとき、図４及び図５の通信制御処理を実行する。なお、ファクシミリ装置２０Ａからゲートウェイ装置６０Ａ及び６０Ｂを介してファクシミリ装置２０Ｂにファクシミリの画像データを送信するときに、ＩＴＵ−Ｔ勧告Ｔ．３０のファクシミリの通信手順での手順信号を、ファクシミリ装置２０Ａと、ファクシミリ装置２０Ｂとの相互間で交換を行う。
【００２５】
ここで、主制御部１０１は具体的にはＣＰＵで構成されており、バス１３を介して以下のハードウェア各部と接続されていてそれらを制御するほか、後述する種々のソフトウェアの機能を実行する。表示部１０４は、液晶表示装置（ＬＣＤ）又はＣＲＴディスプレイ等の表示装置であり、当該ゲートウェイ装置６０の動作状態を表示する。操作部１０５は、当該ゲートウェイ装置６０を操作するために必要な文字キー、ダイヤル用テンキー、短縮ダイヤルキー、ワンタッチダイヤルキー、及び各種のファンクションキー等を備える。
【００２６】
ＲＯＭ１０６は、当該ゲートウェイ装置６０の動作に必要であって主制御部１０１によって実行される種々のソフトウェアのプログラムを予め格納し、ここで、当該プログラムは、少なくとも図４及び図５の通信制御処理のプログラムを含む。また、これらのプログラムは、例えば、フロッピーディスク、ＭＯ、ＤＶＤ−ＲＡＭなどの記録媒体に記録して、必要に応じてそのドライブ装置を介してＲＡＭ１０７にロードして当該プログラムを実行してもよい。ＲＡＭ１０７は、ＳＲＡＭで構成され、主制御部１０１のワーキングエリアとして使用されてプログラムの実行時に発生する一時的なデータを記憶する。ハードディスクドライブ１０８は、例えば記録再生用ハードディスクを内蔵する記憶装置であって、画像データメモリ領域１０８ａを有し、送受信されるファクシミリメッセージのデータなどを格納する。
【００２７】
さらに、ファックスモデム１１０及びＮＣＵ１１１はそれぞれ、ファクシミリ装置１０のファックスモデム１０及びＮＣＵ１１と同様に構成され、ＮＣＵ１１１は公衆電話回線Ｌ２を介して公衆電話網５０に接続される。また、ルータ装置１０９はインターネット４０を介して相手先のゲートウェイ装置６０Ａ又は６０Ｂ（図１）に接続される。ここで、ゲートウェイ装置６０Ａから送信されるパケットデータは、ゲートウェイ装置６０Ａのルータ装置１０９から転送されて、インターネット４０を介して相手先のゲートウェイ装置６０Ｂに送られる。逆に、ゲートウェイ装置６０Ｂから送信されるパケットデータは、ゲートウェイ装置６０Ｂのルータ装置１０９から転送されて、インターネット４０を介して相手先のゲートウェイ装置６０Ａに送られる。なお、ルータ装置１０９からインターネット４０への回線接続は、専用回線などに限らず、公衆電話回線Ｌ２を用いたダイヤルアップ接続でもよい。
【００２８】
図４及び図５は、図３のゲートウェイ装置６０Ｂの主制御部１０１によって実行される、画像データ受信中の通信制御処理を示すフローチャートである。
【００２９】
図４において、ステップＳ１においてゲートウェイ装置６０Ａから画像データのパケットデータを受信したか否かが判断され、ＮＯのときはステップＳ１の処理を繰り返し、ＹＥＳとなったときは、ステップＳ２において画像データを受信してハードディスクドライブ１０８内の画像データメモリ領域１０８ａに格納し、ステップＳ３において１ページ分の画像データを格納したか否かが判断される。ここで、ＹＥＳであるときは、ステップＳ４においてＤＣＳ信号及びオール“０”の正常データを含むＴＣＦ信号を送出した後、ステップＳ６に進む。一方、ステップＳ３でＮＯであるときは、ステップＳ５においてＤＣＳ信号及びオール“１”のエラーデータを含むＴＣＦ信号を送出した後、ステップＳ６に進む。
【００３０】
そして、ステップＳ６においてＦＴＴ信号を受信したか否かが判断され、ＮＯであるときは、ステップＳ７においてＣＦＲ信号を受信したか否かが判断される。ここで、ステップＳ６でＹＥＳ又はステップＳ７でＮＯであるときは、ステップＳ８においてオール“１”のＴＣＦ信号を送出したか否かが判断され、ＹＥＳであるときは、ステップＳ９においてモデム速度をフォールバックさせない（すなわち、現在のモデム速度を保持してそれを低下させない。）ように制御してステップＳ２に戻る。一方、ステップＳ８でＮＯであるときは、ステップＳ１０においてモデム速度をフォールバックさせるように制御してステップＳ２に戻る。なお、ステップＳ７でＹＥＳのときは図５のステップＳ１１に進む。
【００３１】
図５のステップＳ１１において１ページ分の画像データをファクシミリ装置２０Ｂに送出し、ステップＳ１２において次のページの画像データを受信してハードディスクドライブ１０８内の画像データメモリ領域１０８ａに格納し、ステップＳ１３においてファクシミリメッセージであるポスト命令信号を送出する。そして、ステップＳ１４においてＭＣＦ信号を受信したか否かが判断され、ＮＯであるときはステップＳ１３に戻るが、ＹＥＳのときは、ステップＳ１５に進む。ステップＳ１５において全ページの画像データを受信して送信したか否かが判断され、ＹＥＳのときは当該通信制御処理を終了する一方、ＮＯであるときは、ステップＳ１６において１ページ分の画像データを格納したか否かが判断され、ＹＥＳのときはステップＳ１１に戻る一方、ＮＯであるときは図４のステップＳ１に戻る。
【００３２】
以上説明したように、本実施形態に係るゲートウェイ装置６０Ｂの主制御部１０１は、インターネット４０からファクシミリの画像データを受信してハードディスクドライブ１０８の画像データメモリ領域１０８ａに格納した後（図４のステップＳ２）、公衆電話網５０Ｂを介して相手先のファクシミリ装置２０Ｂに送信するときに、当該画像データメモリ領域１０８ａに例えば１ページ分の画像データを格納していないとき（ステップＳ３でＮＯ）、トレーニングのためのテストデータであるＴＣＦ信号に例えばオール”１”のエラーデータを格納して送出する（ステップＳ５）。従って、通信手順を変更することなく、従来技術に比較して簡単に、インターネットによる伝送遅延によるファクシミリ通信の切断を回避できる。
【００３３】
また、ゲートウェイ装置６０Ｂの主制御部１０１は、インターネット４０からファクシミリの画像データを受信してハードディスクドライブ１０８の画像データメモリ領域１０８ａに格納した後（図１５のステップＳ１２）、すべてのページの画像データを受信して送信していないときに（ステップＳ１５でＮＯ）、当該画像データメモリ領域１０８ａ１ページ分の画像データを格納していないとき（ステップＳ１６でＮＯ）、再び、インターネット４０からファクシミリの画像データを受信して画像データメモリ領域１０８ａに格納する。従って、ハードディスクドライブ１０８内の画像データメモリ領域１０８ａに１ページ分の画像データを格納していないときは、画像データの受信を優先して行い、インターネットによる伝送遅延によるファクシミリ通信の切断を回避できる。
【００３４】
さらに、ゲートウェイ装置６０Ｂの主制御部１０１は、オール”１”のエラーデータを含むＴＣＦ信号を送出したときに（ステップＳ５で実行し、ステップＳ８でＹＥＳ）、相手先のファクシミリ装置２０ＢからＦＴＴ信号を受信したとき（ステップＳ６でＹＥＳ）、モデム速度をフォールバックさせないように制御する（ステップＳ９）。従って、上述の効果に加えて、モデム速度を低下させないで、高速でリアルタイムのインターネットファクシミリ通信を実現できる。
【００３５】
＜変形例＞
以上の実施形態においては、公衆電話網５０Ａ，５０Ｂ及びインターネット４０を用いているが、本発明はこれに限らず、公衆電話網５０Ａ，５０Ｂは互いに同一の公衆電話網やその他の種々の回線交換網であってもよいし、また、インターネット４０は種々のパケット交換網又は専用回線であってもよい。
【００３６】
以上の実施形態においては、ファクシミリ装置２０の例について述べているが、本発明はこれに限らず、公衆電話網又は公衆デジタル通信網などの公衆網に接続された、例えば電話機、データ通信装置などを含む通信端末装置に適用することができる。
【００３７】
以上の実施形態においては、図４のステップＳ３及び図５のステップＳ１６において、１ページ分の画像データを格納したか否かを判断しているが、本発明はこれに限らず、例えば６４キロバイト（ＥＣＭのとき）など所定量の画像データを格納したか否かを判断するようにしてもよい。
【００３８】
【発明の効果】
以上詳述したように、本発明に係るファクシミリゲートウェイ装置によれば、発信元の通信端末装置からのファクシミリの画像データを、第１の通信網、上記画像データをパケットデータに変換する第１のゲートウェイ装置、第２の通信網、上記パケットデータを画像データに逆変換する第２のゲートウェイ装置、及び第３の通信網を介して、相手先の通信端末装置に送信するリアルタイム型インターネットファクシミリ通信システムのための第２のゲートウェイ装置であるファクシミリゲートウェイ装置において、上記第２の通信網からファクシミリの画像データを受信して記憶装置に格納した後、上記第３の通信網を介して相手先の通信端末装置に送信するときに、上記記憶装置に所定量の画像データを格納していないとき、トレーニングのためのテストデータにエラーデータを格納して送出する通信制御手段を備える。従って、通信手順を変更することなく、従来技術に比較して簡単に、インターネットによる伝送遅延によるファクシミリ通信の切断を回避できる。
【００３９】
上記ファクシミリゲートウェイ装置において、上記通信制御手段は、好ましくは、上記第２の通信網からファクシミリの画像データを受信して記憶装置に格納した後、上記第３の通信網を介して相手先の通信端末装置に送信するときに、上記記憶装置に所定量の画像データを格納していないとき、オール”１”のデータが挿入されたＴＣＦ信号を送出する。従って、通信手順を変更することなく、従来技術に比較して簡単に、インターネットによる伝送遅延によるファクシミリ通信の切断を回避できる。
【００４０】
また、上記ファクシミリゲートウェイ装置において、上記通信制御手段は、好ましくは、上記第２の通信網からファクシミリの画像データを受信して記憶装置に格納した後、すべてのページの画像データを受信して送信していないときに、上記記憶装置に所定量の画像データを格納していないとき、再び、上記第２の通信網からファクシミリの画像データを受信して記憶装置に格納する。従って、上記記憶装置に所定量の画像データを格納していないときは、画像データの受信を優先して行い、インターネットによる伝送遅延によるファクシミリ通信の切断を回避できる。
【００４１】
さらに、上記ファクシミリゲートウェイ装置において、上記通信制御手段は、好ましくは、トレーニングのためのテストデータにエラーデータを格納して送出したときに、相手先の通信端末装置からＦＴＴ信号を受信したとき、モデム速度をフォールバックさせないように制御する。従って、上述の効果に加えて、モデム速度を低下させないで、高速でリアルタイムのインターネットファクシミリ通信を実現できる。
【図面の簡単な説明】
【図１】本発明に係る実施形態である、リアルタイム型インターネットファクシミリ通信システムの構成を示すブロック図である。
【図２】図１のファクシミリ装置２０（２０Ａ，２０Ｂ）の構成を示すブロック図である。
【図３】図１のゲートウェイ装置６０（６０Ａ，６０Ｂ）の構成を示すブロック図である。
【図４】図３のゲートウェイ装置６０Ｂの主制御部１０１によって実行される、画像データ受信中の通信制御処理の第１の部分を示すフローチャートである。
【図５】図３のゲートウェイ装置６０Ｂの主制御部１０１によって実行される、画像データ受信中の通信制御処理の第２の部分を示すフローチャートである。
【符号の説明】
１…主制御部、
２…画像読取部、
３…画像記録部、
４…表示部、
５…操作部、
６…ＲＯＭ、
７…ＲＡＭ、
８…コンパクトフラッシュ、
８ａ…画像データメモリ領域、
１０…ファックスモデム、
１１…ＮＣＵ、
１３…バス、
２０，２０Ａ，２０Ｂ…ファクシミリ装置、
４０…インターネット、
５０，５０Ａ，５０Ｂ…公衆電話網、
６０，６０Ａ，６０Ｂ…ゲートウェイ装置、
１０１…主制御部、
１０４…表示部、
１０５…操作部、
１０６…ＲＯＭ、
１０７…ＲＡＭ、
１０８…ハードディスクドライブ、
１０８ａ…画像データメモリ領域、
１０９…ルータ装置、
１１０…ファックスモデム、
１１１…ＮＣＵ、
１１３…バス、
Ｌ１，Ｌ２…公衆電話回線。
【図１】
0003606205.tif 000002
【図２】
0003606205.tif 000003
【図３】
0003606205.tif 000004
【図４】
0003606205.tif 000005
【図５】
0003606205.tif 000006